(57)【要約】      （修正有）【課題】長さを無段階に調節できる構造を備える伸縮自在な杖であって、使用時に煩わしい騒音を発生するおそれがなく、又、内部に水が入っても錆付くおそれがないものを提供する。【解決手段】上段パイプ２と、その上段パイプに摺動自在に内挿される下段パイプ４と、接続具２に上端が固定されて上段及び下段パイプ内を同軸垂下する調節ボルト５と、下段パイプの上端部に取り付けられて調節ボルトとねじ係合する調節ナット６とを備える杖において、調節ボルトの下端部にスリーブ７を固定し、そのスリーブの外周面に下段パイプの内周面と摺接する下段Ｏリング１４を取り付け、調節ナットの外周面に上段パイプの内周面と摺接する上段Ｏリング１３を取り付ける。【選択図】図２
0003114186.tif 000002
【実用新案登録請求の範囲】
【請求項１】
上段パイプと、前記上段パイプに摺動自在に内挿される下段パイプと、前記上段パイプの上端に接続具を介して取り付けられるグリップと、前記接続具に上端が固定されて前記上段及び下段パイプ内を同軸に垂下する調節ボルトと、前記下段パイプの上端部に取り付けられて前記調節ボルトとネジ係合する調節ナットと、前記上段パイプの下端部外周面のネジ部にネジ嵌合して前記上段パイプ下端部を前記下段パイプに固定する固定金具とを備える杖において、前記調節ボルトの下端部にスリーブを固定し、前記スリーブの外周面に前記下段パイプの内周面と摺接する下段Ｏリングを取り付け、前記調節ナットの外周面に前記上段パイプの内周面と摺接する上段Ｏリングを取り付けることを特徴とする防音及び防水構造を備える伸縮自在な杖。
【考案の詳細な説明】
【技術分野】
【０００１】
本考案は、防音及び防水構造を備える伸縮自在な杖に関する。
【背景技術】
【０００２】
長さを無段階に調節できる構造を備える伸縮自在な杖は、特開２００２−３３６０１７号公報に記載されている。この公知の杖は、上段パイプと、その上段パイプに摺動自在に内挿される下段パイプと、上段パイプの上端に接続具を介して取り付けられるグリップと、接続具に上端が固定されて上段及び下段パイプ内を同軸垂下する調節ボルトと、下段パイプの上端部に取り付けられて調節ボルトとねじ係合する調節ナットと、上段パイプの下端部と下段パイプに取り付けられて下段パイプを上段パイプに固定する固定金具とを備える。
【０００３】
公知の伸縮自在な杖は、使用中、調節ナットが上部パイプに当たる音が煩わしいという問題がある。又、雨の中で使用したり、水がかかると、内部に水が入り、調節ボルトが錆付いて長さの調整が不円滑になりやすかった。
【特許文献１】特開２００２−３３６０１７号公報
【考案の開示】
【考案が解決しようとする課題】
【０００４】
本考案は、上記問題を解決するためになされたものであり、その課題は、長さを無段階に調節できる構造を備える伸縮自在な杖であって、使用時に煩わしい騒音を発生するおそれがなく、又、内部に水が入っても調節ボルトが錆付くおそれがないものを提供することである。
【課題を解決するための手段】
【０００５】
前記課題を解決するため、本考案が採用する手段は、上段パイプと、その上段パイプに摺動自在に内挿される下段パイプと、上段パイプの上端に接続具を介して取り付けられるグリップと、接続具に上端が固定されて上段及び下段パイプ内を同軸垂下する調節ボルトと、下段パイプの上端部に取り付けられて調節ボルトとねじ係合する調節ナットと、上段パイプの下端部外周面ネジ部にネジ嵌合して下段パイプを上段パイプに固定する固定金具とを備える伸縮自在な杖において、調節ボルトの下端部にスリーブを固定し、そのスリーブの外周面に下段パイプの内周面と摺接する下段Ｏリングを取り付け、調節ナットの外周面に上段パイプの内周面と摺接する上段Ｏリングを取り付けることを特徴とする。
【考案の効果】
【０００６】
本発明の杖は、上記手段により、調節ナットの外周面と上段パイプの内周面の間には上段Ｏリングが介在するので、調節ナットの外周面と上段パイプの内周面が衝接して聞き苦しい騒音を発生するおそれはない。又、調節ボルトと調節ナットのネジ係合部分は、上段及び下段Ｏリングにより水封じされるため、錆付いて長さ調整が不円滑になるおそれはない。
【考案を実施するための最良の形態】
【０００７】
接続具は軸状とし、上端部にグリップを、下端部に上段パイプの上端部をそれぞれ外嵌固定する。接続具の下端面に軸孔を設け、その軸孔に調節ボルトの上端部を挿入し、固定ピンを介して固定する。調節ボルトは三条ねじとし、その調節ボルトに三条ねじの調節ナットを螺合する。調節ナットは下段パイプの上端部に内嵌固定する。調節ボルトの下端部にスリーブを外嵌し固定ピンを介して固定する。固定金具は、上段パイプの下端部外周面に形成するネジ部と係合する締付ナットと、上段パイプの内周面と下段パイプの外周面の間にくさび状に入り込む締付Ｃリングとする。調節ナット外周面の上縁近くに上段Ｏリング溝を設けて上段Ｏリングを嵌着し、スリーブ外周面の下縁近くに下段Ｏリング溝を設け下段Ｏリングを嵌着する。
【実施例】
【０００８】
本考案の杖を、図面に示す実施例に基づいて説明する。図１は、実施例の立面図、図２は実施例要部の縦断面図である。
【０００９】
図１に示すように、  長さを無段階に調節できる構造を備える伸縮自在な杖は、グリップ１と、そのグリップ１に上端部が内嵌固定される軸状の接続具２と、その接続具２の下端部に上端部が外嵌固定される上段パイプ３と、その上段パイプ３に摺動自在に内挿され締付ナット８を介して固定される下段パイプ４と、その下段パイプ４の下端部に外嵌固定される石突き１０を備える。
【００１０】
図２に示すように、接続具２の下端面に軸孔を設け、その軸孔に調節ボルト５の上端部
嵌着し、固定ピン１２を介して固定する。調節ボルト５は三条ネジであり、上段及び下段パイプ３、４の軸心線に沿って延長する。調節ボルト５に三条ねじの調節ナット６を螺合する。調節ボルト５の下端部にスリーブ７を外嵌し、固定ピン１１を介して固定する。スリーブ７の外周面下縁近くに下段Ｏリング溝を設け、その溝に下段パイプ４の内周面と摺接する下段Ｏリング１４を嵌着する。
【００１１】
調節ナット６は、上段パイプ３に下から内挿する下段パイプ４の上端部に内嵌固定する。調節ナット６の外周面上縁近くに上段Ｏリング溝を設け、その溝に上段パイプ３の内周面と摺接する上段Ｏリング１３を嵌着する。上段パイプ３の下端部外周面には雄ネジ部を形成する。下部パイプ４に締付ナット８と締付Ｃリング９を外嵌する。
【００１２】
上段パイプ３に対して下段パイプ４を、又は下段パイプ４に対して上段パイプ３を回転すると、回転方向に応じて杖の長さは無段階に伸縮する。杖が所望の長さに調整されたとき、締付Ｃリング９を上段パイプ３の下端面に当接し、締付ナット８を上段パイプ３の下端部外周面の雄ネジ部にネジ嵌めする。締付ナット８を締め込むと、締付Ｃリング９が上段パイプ３の内周面と下段パイプ４の外周面の間にくさび状に入り込み、上段パイプ３と下段パイプ４を一体に固定する。
【００１３】
本発明の杖は、調節ナット６の外周面と上段パイプ３の内周面の間には上段Ｏリング１３が介在するので、調節ナット６の外周面と上段パイプ３の内周面が使用中に衝接して聞き苦しい騒音を発生するおそれはない。又、、雨で杖が濡れても、杖内の調節ボルト５と調節ナット６のネジ係合部分は、上段及び下段Ｏリング１３、１４の間に位置して水封じされるので、濡れて錆付くおそれはない。
【図面の簡単な説明】
【００１４】
【図１】本考案実施例の立面図、
【図２】実施例要部の縦断面図。
【符号の説明】
【００１５】
１：グリップ
２：接続具
３：上段パイプ
４：下段パイプ
５：調節ボルト
６：調節ナット
７：スリーブ
８：締付ナット（固定金具）
９：締付Ｃリング（固定金具）
１０：石突き
１１：固定ピン
１２：固定ピン
１３：上段Ｏリング
１４：下段Ｏリング
【図１】
0003114186.tif 000003
【図２】
0003114186.tif 000004